(57)【特許請求の範囲】
【請求項１】
版胴の版面に接するドクターブレードと、ドクターブレードを保持するドクターホルダーと、ドクターブレード下の版面に生じるインキ又は塗工液の流れが、版胴の両側面へ向かうのを抑止する抑止部材とを具備したドクター装置において、上記抑止部材が左側面用シートと右側面用シートとによって形成され、各シート内には、上記ドクターホルダーにおける版胴の両側面外へ食み出た箇所に各々固定される固定パネルと、各固定パネルの下端に折れ線を介して連設される下向き傾斜パネルと、各下向き傾斜パネルの下端に折れ線を介して連設される上向き傾斜パネルとが設けられ、各下向き傾斜パネルには、版胴の版面と側面との間の稜線を固定パネル側から版胴の中央側に向かって下向きに伸びて横切る傾斜縁が形成され、下向き傾斜パネルと上向き傾斜パネルとの間には、両者間の折れ線によって溝が形成されたことを特徴とするドクター装置。
【請求項２】
請求項１に記載のドクター装置において、溝が版胴の側面側から版胴の中央側に向かって下向きに傾斜する傾斜溝とされたことを特徴とするドクター装置。
【請求項３】
請求項１又は請求項２に記載のドクター装置において、上向き傾斜パネルがドクターホルダーの所望箇所に固定されたことを特徴とするドクター装置。
【請求項４】
請求項１乃至請求項３のいずれかに記載のドクター装置において、左右側面用シートの表面に耐溶剤層が形成されたことを特徴とするドクター装置。
【発明の詳細な説明】
【技術分野】
【０００１】
本発明は、グラビア印刷機のドクター装置に関する。
【背景技術】
【０００２】
グラビア印刷においてドクター装置によって版胴の表面から掻き取られたインキ又は塗工液が版胴の側面に流れ出ると、版胴の側面にインキ又は塗工液が付着し、堆積する。この版胴の側面のインキ又は塗工液による汚れを放置すると、版胴が回転する際に版胴の側面の方からインキ又は塗工液が飛散し、印刷物に付着するなどして印刷不良を来すことから、印刷後に又は定期的に版胴の側面を清掃する必要がある。
【０００３】
しかし、この清掃作業は大量の洗浄用溶剤を必要とし、多大の労力を要することから、このような清掃作業を回避又は軽減するべく、なるべく版胴の側面を汚さないよう、例えば次に掲げるような措置(1)(2)が採られている。
【０００４】
(1)ドクターブレードと版胴の間に入り込むインキ案内板を設ける。ドクターブレードに掻き取られて落下するインキが、インキ案内板に掬い取られ、インキパンへと案内される。これにより、版面に付着して上昇してくるインキに対して、ドクターブレードに掻き取られて落下するインキが干渉しなくなり、インキの干渉によってインキがドクター装置の側方から版胴の側面に向かって溢れ出るのが防止される（例えば、特許文献１参照）。
【０００５】
(2)ドクター装置の両端における版胴の非画線部に相当する位置に、ドクターブレードの刃先を包み込むようにして短冊状紙片を取り付け、この短冊状紙片を版胴の回転方向と反対方向に垂らすようにする。これにより、版胴両端に付着する余分なインキを短冊状紙片によって除去し、版胴の側面へのインキの飛散や流出を抑制することができる（例えば、特許文献２参照）。
【先行技術文献】
【特許文献】
【０００６】
【特許文献１】特開平９−２９９３０号公報
【特許文献２】特開２００１−３１０４３９号公報
【発明の概要】
【発明が解決しようとする課題】
【０００７】
しかし、前者のインキ案内板を設ける方法には次のような欠点がある。
【０００８】
（ａ）印刷速度が速くなるとドクターブレードによって掻き取られるインキや版面によって汲み上げられるインキが増大し、これらのインキが版胴の両側へと逃げて版胴の両側面に付着する。
（ｂ）インキ案内板が版胴に近づきすぎると、インキ案内板自体がドクターブレードと同じ作用を果たすので、インキ案内板によって掻かれたインキが版胴の両側へと流れ版胴の両側面に付着する。また、インキ案内板が版胴から遠すぎると、ドクターブレードに掻かれたインキがインキ案内板に乗りづらくなるのでインキ案内板が役目を果たしきれなくなる。また、印刷速度如何によって版胴の表面によって汲み上げられるインキ量が異なるので、インキ案内板と版胴との間の距離の調整が面倒である。
【０００９】
また、後者の短冊状紙片を取り付ける方法には次のような欠点がある。
【００１０】
（ａ）  短冊状紙片の下を流れるインキが、新たに版胴によって汲み上げられインキとぶつかることで、版胴の側面へとインキが流れやすくなり、却って版胴の側面がインキで汚れやすくなる。また、版胴の側面の汚れは、印刷速度を上げるに連れて発生しやすくなる。
（ｂ）ドクターブレードを包み込むように垂らした短冊状紙片の下端が、高速で回転する版胴によってばたつき、短冊状紙片に付着したインキが周囲に飛散し、これが印刷物に付着するおそれがある。
【００１１】
したがって、本発明は上記問題点を解決することができるグラビア印刷機のドクター装置を提供することを目的とする。
【課題を解決するための手段】
【００１２】
上記課題を解決するため、本発明は次のような構成を採用する。
【００１３】
なお、本発明の理解を容易にするため括弧付きの符号を付すが、本発明はこれに限定されるものではない。
【００１４】
すなわち、請求項１に係る発明は、版胴（３）の版面（３ａ）に接するドクターブレード（７）と、ドクターブレード（７）を保持するドクターホルダー（８）と、ドクターブレード（７）下の版面（３ａ）に生じるインキ又は塗工液の流れが、版胴（３）の両側面（３ｂ，３ｃ）へ向かうのを抑止する抑止部材とを具備したドクター装置において、抑止部材（１０，１１）が左側面用シートと右側面用シートとによって形成され、各シート内には、上記ドクターホルダー（８）における版胴（３）の両側面（３ｂ，３ｃ）外へ食み出た箇所に各々固定される固定パネル（１０ａ，１１ａ）と、各固定パネル（１０ａ，１１ａ）の下端に折れ線（１２）を介して連設される下向き傾斜パネル（１０ｂ，１１ｂ）と、各下向き傾斜パネル（１０ｂ，１１ｂ）の下端に折れ線（１３）を介して連設される上向き傾斜パネル（１０ｃ，１１ｃ）とが設けられ、各下向き傾斜パネル（１０ｂ，１１ｂ）には、版胴（３）の版面（３ａ）と側面（３ｂ，３ｃ）との間の稜線を固定パネル（１０ａ，１１ａ）側から版胴（３）の中央側に向かって下向きに伸びて横切る傾斜縁（１４）が形成され、下向き傾斜パネル（１０ｂ，１１ｂ）と上向き傾斜パネル（１０ｃ，１１ｃ）との間には、両者間の折れ線（１３）によって溝（１５）が形成された構成を採用する。
【００１５】
請求項２に記載されるように、請求項１に記載のドクター装置において、溝（１５）が版胴（３）の側面（３ｂ，３ｃ）側から版胴（３）の中央側に向かって下向きに傾斜する傾斜溝とされたものとすることができる。
【００１６】
請求項３に記載されるように、請求項１又は請求項２に記載のドクター装置において、上向き傾斜パネル（１０ｃ，１１ｃ）がドクターホルダー（８）の所望箇所に固定されたものとすることができる。
【００１７】
請求項４に記載されるように、請求項１乃至請求項３のいずれかに記載のドクター装置において、左右側面用シートの表面に耐溶剤層が形成されたものとすることができる。
【発明の効果】
【００１８】
本発明によれば、版胴（３）の版面（３ａ）に接するドクターブレード（７）と、ドクターブレード（７）を保持するドクターホルダー（８）と、ドクターブレード（７）下の版面（３ａ）に生じるインキ又は塗工液の流れが、版胴（３）の両側面（３ｂ，３ｃ）へ向かうのを抑止する抑止部材とを具備したドクター装置において、抑止部材（１０，１１）が左側面用シートと右側面用シートとによって形成され、各シート内には、上記ドクターホルダー（８）における版胴（３）の両側面（３ｂ，３ｃ）外へ食み出た箇所に各々固定される固定パネル（１０ａ，１１ａ）と、各固定パネル（１０ａ，１１ａ）の下端に折れ線（１２）を介して連設される下向き傾斜パネル（１０ｂ，１１ｂ）と、各下向き傾斜パネル（１０ｂ，１１ｂ）の下端に折れ線（１３）を介して連設される上向き傾斜パネル（１０ｃ，１１ｃ）とが設けられ、各下向き傾斜パネル（１０ｂ，１１ｂ）には、版胴（３）の版面（３ａ）と側面（３ｂ，３ｃ）との間の稜線を固定パネル（１０ａ，１１ａ）側から版胴（３）の中央側に向かって下向きに伸びて横切る傾斜縁（１４）が形成され、下向き傾斜パネル（１０ｂ，１１ｂ）と上向き傾斜パネル（１０ｃ，１１ｃ）との間には、両者間の折れ線（１３）によって溝（１５）が形成されたドクター装置であるから、ドクターブレード（７）によって版胴（３）の版面（３ａ）から掻き取られたインキ又は塗工液と、版面（３）によって汲み上げられるインキ又は塗工液が、版胴（３）の両側面（３ｂ，３ｃ）へと流れようとするのを下向き傾斜パネル（１０ａ，１１ａ）の傾斜縁（１４）で版面（３ａ）から掬い上げることによって抑制し、掬い上げたインキ又は塗工液を下向き傾斜パネル（１０ｂ，１１ｂ）と上向き傾斜パネル（１０ｃ，１１ｃ）との間の溝（１５）で案内することによって版胴（３）の下方に設置したインキパン（２）へと戻すことができる。したがって、版胴（３）の側面（３ｂ，３ｃ）にインキ又は塗工液が付着することに起因する印刷物の汚れを未然に防止することができる。
【００１９】
また、請求項１に記載のドクター装置において、溝（１５）が版胴（３）の側面（３ｂ，３ｃ）側から版胴（３）の中央側に向かって下向きに傾斜する傾斜溝とされた場合は、ドクターブレード（７）によって版胴（３）の版面（３ａ）から掻き取られたインキ又は塗工液と版面（３ａ）によって汲み上げられるインキ又は塗工液が、版胴（３）の両側面（３ｂ，３ｃ）へと流れようとするのを抑制しつつ、版胴（３）の中央側へと向かって流し、より正確に版胴（３）の下方に設置したインキパン（２）へと戻すことができる。
【００２０】
また、請求項１又は請求項２に記載のドクター装置において、上向き傾斜パネル（１０ｃ，１１ｃ）がドクターホルダー（８）の所望箇所に固定された場合は、版胴（３）が高速回転しても左右両側面用シートのバタつきが防止される。したがって、ドクターブレード（７）下のインキ又は塗工液の流れを安定して抑止部材（１０，１１）の溝（１５）内へと誘導することができ、したがってインキ又は塗工液の版胴（３）の側面（３ｂ，３ｃ）への流出が適正に防止される。
【００２１】
また、請求項４に記載されるように、請求項１乃至請求項３のいずれかに記載のドクター装置において、左右側面用シートの表面に耐溶剤層が形成された場合は、左右側面用シートがインキ又は塗工液の付着により劣化するのを防止することができる。
【図面の簡単な説明】
【００２２】
【図１】本発明にかかるドクター装置を装着したグラビア印刷機の右側面図である。
【図２】図１に示すグラビア印刷機の平面図である。
【図３】図１に示すグラビア印刷機の右部分の斜視図である。
【図４】ドクター装置の右側面図である。
【図５】（Ａ）は左側面用シートの展開図、（Ｂ）は右側面用シートの展開図、（Ｃ）は左側面用シートの組立図、（Ｄ）は右側面用シートの組立図である。
【発明を実施するための形態】
【００２３】
以下、図面を参照して本発明を実施するための形態について説明する。
【００２４】
図１及び図２に示すように、グラビア印刷機は、インキ１又は塗工液を貯留するインキパン２と、インキパン２内のインキ１又は塗工液に下部分が浸漬されつつ回転する版胴３と、版胴３の版面３ａに被膜となって付着しつつ汲み上げられるインキ又は塗工液の余剰分を掻き取るドクター装置４と、ドクター装置４を通過した版胴３の版面３ａに対し被印刷物５を押圧しつつ回転する圧胴６とを具備する。
【００２５】
インキパン２は、広口の開口を有する水平に配置された容器である。インキパン２の開口は版胴３の下部を収容しうる大きさを有する。
【００２６】
版胴３は、水平に配置されたシリンダーであり、その周面が版面３ａとされる。図示しないが、版面３ａの画線部には印刷画像を構成する無数のドットに対応してセルが無数に形成される。版胴３は図示しない動力源からの動力により図１中矢印方向に高速回転する。版胴３の回転によって、インキパン２内のインキ１又は塗工液が版面３ａに付着し、図１に示すように、薄い皮膜となってドクター装置４の方へと汲み上げられる。
【００２７】
ドクター装置４は、版胴３の周りの所定位置に設置され、版胴３の版面３ａに接するドクターブレード７、ドクターブレード７を保持するドクターホルダー８、ドクターブレード７の背後に当てられる当て板９等を具備する。ドクターホルダー８には、図示しないが、ドクターブレード７等をドクターホルダー８に固定するための締め付けねじが取り付けられる。
【００２８】
ドクターブレード７の刃先は、円筒形の版面３の所定の母線に沿って版胴３の両側面３ｂ，３ｃよりも外側へ突出するように伸びる。ドクターブレード７によって、回転する版胴３の版面３ａに付着しつつ汲み上げられるインキ又は塗工液の余剰分が版面３ａから掻き取られつつ、印刷に必要なインキ又は塗工液がセル内に充填される。
【００２９】
被印刷物６は、紙、樹脂等で作られた帯状物である。版胴３と圧胴６との間を走行する間に、版面３ａにおける画線部のセル内のインキ又は塗工液が被印刷物５に転移する。これにより、画線部の画像が被印刷物５に印刷される。
【００３０】
圧胴６は、版胴３の回転とともに回転するシリンダーであり、版胴３とともに被印刷物５を挟んで一方向に走行させつつ被印刷物５を版胴３の版面３ａに対して押圧する。
【００３１】
既述のごとく、ドクターブレード７下の版面３ａに生じるインキ又は塗工液の流れ、すなわち、ドクターブレード７によって版面３ａから掻き取られたインキ又は塗工液や新たに版面３ａによってインキパン２内から汲み上げられるインキ又は塗工液は、版胴３の両側面３ｂ，３ｃに向かって流れようとする。この版胴３の両側面３ｂ，３ｃに向かうのを抑止するべく、ドクター装置４には、図１乃至図４に示すように、版胴３の両側面３ｂ，３ｃの近傍において抑止部材１０，１１が装着される。
【００３２】
抑止部材１０，１１は、図５（Ａ）（Ｃ）に示す左側面用シートと同図（Ｂ）（Ｄ）に示す右側面用シートとによって形成される。
【００３３】
各シート内には、図４のごとく上記ドクターホルダー８における版胴３の両側面３ｂ，３ｃ外へ食み出た箇所に各々固定される固定パネル１０ａ，１１ａと、各固定パネル１０ａ，１１ａの下端に折れ線１２を介して連設され、図３及び図４のごとく下向きに傾斜する下向き傾斜パネル１０ｂ，１１ｂと、各下向き傾斜パネル１０ａ，１１ａの下端に折れ線１３を介して連設され、図３及び図４のごとく上向きに傾斜する上向き傾斜パネル１０ｃ，１１ｃとが設けられる。
【００３４】
具体的には、右側面用シートの固定パネル１１ａは、縦置きされた長方形素材シートの左上隅が台形状に切除されることにより、長方形素材シートの上部に設けられ、他部分との間に長方形素材シートの短辺と平行に折れ線１２がプレス成形されることにより、小面積の長方形に形成される。また、下向き傾斜パネル１１ｂは、上向き傾斜パネル１１ｃとの間にプレス成形される折れ線１３と、上記固定パネル１１ａ側の折れ線１２と、長方形素材シートの両長辺とで囲まれることにより五角形に形成される。また、上向き傾斜パネル１１ｃは、下向き傾斜パネル１１ｂ側の折れ線１３と、長方形素材シートの両長辺及び短辺とで囲まれることにより四角形に形成される。この右側面用シートは、上記各折れ線１２，１３を谷折れ線として各パネル１１ａ，１１ｂ，１１ｃが折り曲げられることにより、図５（Ｄ）のごとく組み立てられる。
【００３５】
また、上記下向き傾斜パネル１１ｂにおける上記長方形素材シートの左上隅が台形状に切除されることによって形成される辺は、図２及び図３に示すように、版胴３の版面３ａと側面３ｃとの間の稜線を固定パネル１１ａ側から版胴３の中央側に向かって下向きに伸びて横切る傾斜縁１４として形成される。この傾斜縁１４が上記稜線に接した状態で版胴３が回転すると、上記ドクターブレード７下における版面３ａ上のインキ１又は塗工液の流れは下向き傾斜パネル１１ｂ上に掬い上げられ、版胴３の右側面３ｃへと流れようとするのが阻止される。
【００３６】
さらに、下向き傾斜パネル１１ｂと上向き傾斜パネル１１ｃとの間には、図２及び図３に示すように両者間の折れ線１３によって溝１５が形成される。上記下向き傾斜パネル１１ｂ上を下方に流れ落ちるインキ１又は塗工液は、この溝１５に受け止められ、溝１５内を流れて溝１５の端から版胴３の下方のインキパン２内へと落下する。
【００３７】
上記溝１５は、下向き傾斜パネル１１ｂと上向き傾斜パネル１１ｃとの間の折れ線１３を長方形素材シートの短辺と平行に形成することによって、略水平方向に伸長させてもよいが、望ましくは、図２及び図３に示す如く上記折れ線１３を版胴３の中央側に傾斜するごとく形成することによって、版胴３の右側面３ｃ側から版胴３の中央側に向かって下向きに傾斜する傾斜溝とされる。これにより、図２及び図３中、矢印で示す如くドクターブレード７下におけるインキ又は塗工液の流れは、版胴３の右側面３ｃへと向かうことなく、版胴３の中央側へと向かうこととなる。
【００３８】
右側面用シートの上向き傾斜パネル１１ｃは、折れ線１３の折癖によって上向き姿勢を保つこともできるが、図５（Ｄ）に示すように、上向きに折り曲げられることから、望ましくは図４に示すように、その縁等がドクターホルダー８の所望箇所に引っ掛けられる等して定位置に引っ掛けられ固定される。ドクターホルダー８には、ドクター装置４をグラビア印刷機から外した際にドクター装置４を所定の保管場所に吊るすための部材８ａが設けられるが、このような部材８ａに上向き傾斜パネル１１ｃを係止することによって、上向き傾斜パネル１１ｃひいては右側面用シートの全体が定位置に定姿勢で固定される。
【００３９】
このように上向き傾斜パネル１１ｃがドクターホルダー８に固定される結果、版胴３が高速回転しても右側面用シート全体のばたつきが防止される。したがって、ドクターブレード７下のインキ又は塗工液の流れが安定して溝１５内へと誘導され、インキ又は塗工液の版胴３の右側面３ｃへの流出が適正に防止される。
【００４０】
なお、図５（Ａ）（Ｃ）から明らかなように、左側面用シートは、版胴３の中央を通る垂直な縦軸を対称軸として右側面用シートと対称形に形成される。このための上記右側面用シートの説明で述べたと同様に、左側面用シートによって、ドクターブレード７下におけるインキ又は塗工液が版胴３の左側面３ｂへと向かうのが抑止され、版胴３の中央側へと向かって流れ、最後にインキパン２内に流れ落ちることとなる。
【００４１】
また、左右側面用シートの表面には、図示しないが望ましくは耐溶剤層が形成される。上述したように左右側面用シートの表面には溶剤を含んだインキ又は塗工液が付着するが、シートに耐溶剤層が設けられることにより、シートの溶剤等による毀損が防止され耐久性が向上する。
【００４２】
次に、上記構成のドクター装置４の作用について説明する。
【００４３】
グラビア印刷機による印刷開始に先立ち、抑止部材１０，１１である左側面用シート及び右側面用シートが、各々図５（Ａ）（Ｂ）の平坦なシートから図５（Ｃ）（Ｄ）の立体形に組み立てられたうえで、図２のごとくドクターホルダー８の左右端に取り付けられる。
【００４４】
左右側面用シートのドクターホルダ８ーへの取り付けは、各々の固定パネル１０ａ，１１ａがドクターブレード７と当て板９との間に挟まれた状態で締め付けねじが締め付け方向に回されることによって行われる。
【００４５】
左右側面用シートがドクターホルダー８に取り付けられると、ドクター装置４の全体が、図１及び図４に示すように、グラビア印刷機の図示しない機枠に固定される。
【００４６】
ドクター装置４がグラビア印刷機に装着されると、図１乃至図４に示すように、下向き傾斜パネル１０ａ，１１ａの傾斜縁１４が版胴３の左右の稜線に接触する。また、上向き傾斜パネル１０ｃ，１１ｃの一部がドクターホルダー８の一部に接触することにより、左右側面用シートが抑止部材１０，１１として一定位置に一定姿勢で固定され、印刷が開始された際に版胴３の高速回転に起因するバタつき等が防止される。
【００４７】
グラビア印刷機が稼働することにより、版胴３及び圧胴６が回転し、被印刷物５が両者間を走行する。また、版胴３の回転によって、インキパン２内のインキ１又は塗工液が版胴３の版面３ａ上を薄い皮膜となって汲み上げられる。
【００４８】
この版面３ａ上のインキ又は塗工液は、ドクター装置４のドクターブレード７によって余剰分を掻き取られつつ、必要量だけ版面３ａの微細なセル内に充填される。セル内のインキ又は塗工液は被印刷物５に転写され、印刷画像となって被印刷物５の表面に現れる。
【００４９】
一方、ドクターブレード７で掻き取られたインキ又は塗工液は、版面３ａ上を新たに上昇して来るインキ又は塗工液と合流しつつ版胴３の両側面３ｂ，３ｃへと流れようとするが、この流れは抑止部材１０，１１の傾斜縁１４によって掬い上げられ、下向き傾斜パネル１０ｂ，１１ｂ上を上向き傾斜パネル１０ｃ，１１ｃとの間の溝１５内へと流れ落ちる。さらに、この溝１５内へと流れ落ちたインキ又は塗工液は、溝１５が版胴３の中央側へと傾斜している場合は、版面３ａから離れた位置で版胴３の下方のインキパン２内へと流れ落ちる。
【００５０】
かくて、ドクターブレード７下の版面３ａ上のインキ又は塗工液は、グラビア印刷中、版胴３の両側面３ｂ，３ｃへの流れが抑止され、インキ又は塗工液が版胴３の両側面３ｂ，３ｃに付着することによる不具合の発生が未然に防止される。
【００５１】
なお、本発明は、上記実施の形態に限定されるものではなく、種々の変更が可能である。例えば、本発明に係るドクター装置は実施の形態のグラビア印刷機に限らず他の形式の塗工機等にも装着可能である。
【符号の説明】
【００５２】
２…インキパン
３…版胴
３ａ…版胴の版面
３ｂ，３ｃ…版胴の両側面
７…ドクターブレード
８…ドクターホルダー
１０，１１…抑止部材
１０ａ，１１ａ…固定パネル
１０ｂ，１１ｂ…下向き傾斜パネル
１０ｃ，１１ｃ…上向き傾斜パネル
１２，１３…折れ線
１４…傾斜縁
１５…溝
【図１】
0006451474.tif 000002
【図２】
0006451474.tif 000003
【図３】
0006451474.tif 000004
【図４】
0006451474.tif 000005
【図５】
0006451474.tif 000006